(57)【特許請求の範囲】
【請求項１】
虹彩絞りを内部に備え、この虹彩絞りの絞口径を組立時および修理時に調整するための絞口径調整機構を有するレンズ鏡筒において、
レンズ鏡筒の筒状外装部材に設けた絞口径調整用孔と；
上記筒状外装部材の外周に嵌合し、光軸を中心に該筒状外装部材を回動可能に支持する環状支持部材と；
この環状支持部材に設けた、レンズ鏡筒の径方向に貫通する雌ネジ孔と；
この雌ネジ孔に螺合する雄ネジ部を有し、この雄ネジ部の上記雌ネジ孔に対する所定の螺合位置によって、上記環状支持部材に対する上記筒状外装部材の相対回転を規制するロック部材と；を備え、
上記絞口径調整用孔と上記雌ネジ孔は、上記筒状外装部材と上記環状支持部材の互いの相対回転位置を所定の回転位置としたとき、レンズ鏡筒の径方向で互いにオーバーラップすることを特徴とする、絞口径調整機構を有するレンズ鏡筒。
【請求項２】
請求項１において、さらに、周方向に略等間隔で設定した複数のクリック位置で筒状外装部材を環状支持部材に対して係止するクリックストップ機構を備え、絞口径調整用孔と雌ネジ孔がレンズ鏡筒の径方向で互いに重なり合う上記所定の回転位置は、この複数のストップ位置とは異なる位置に設定されていることを特徴とする、絞口径調整機構を有するレンズ鏡筒。
【請求項３】
請求項１または２において、絞口径調整用孔は、光軸方向での大きさが雌ネジ孔よりも小さいことを特徴とする、絞口径調整機構を有するレンズ鏡筒。
【請求項４】
請求項１ないし３のいずれか一項において、筒状外装部材の外周には、周方向沿って環状案内溝が形成されており、絞口径調整用孔は、この環状案内溝の底部に形成され、環状支持部材は、この環状案内溝に嵌められていることを特徴とする絞口径調整機構を有するレンズ鏡筒。
【発明の詳細な説明】
【０００１】
【技術分野】
本発明は、絞口径調整機構を有するレンズ鏡筒に関する。
【０００２】
【従来技術およびその問題点】
従来、内部に備えた虹彩絞り機構の絞口径を調整するための絞口径調整機構を有するレンズ鏡筒において、その組立時および修理時に、絞口径を調整して所定の基準値に設定する絞口径調整作業が知られている。一般に、この絞口径調整作業を必要とするレンズ鏡筒には、その鏡筒の周壁に絞口径調整用孔が設けられている。絞口径調整作業では、この絞口径調整用孔に専用の治具を挿入して虹彩絞り機構の絞口径が調整される。
【０００３】
従来、この絞口径調整作業で治具が挿入される絞口径調整用孔は、レンズ鏡筒内へのゴミや水滴等の侵入防止のためおよび美観上の観点から、絞口径調整作業終了後、樹脂製の栓部材やシール等の専用の閉鎖部材によって塞ぐ必要があった。
【０００４】
【発明の目的】
本発明は、絞口径調整用孔を樹脂製の栓部材やシール等の専用の閉鎖部材によって塞ぐ必要がなく、短時間で絞口径作業を行うことを可能にする、絞口径調整機構を有するレンズ鏡筒を提供することを目的とする。
【０００５】
【発明の概要】
本発明の絞口径調整機構を有するレンズ鏡筒は、虹彩絞りを内部に備え、この虹彩絞りの絞口径を組立時および修理時に調整するための絞口径調整機構を有するレンズ鏡筒において、レンズ鏡筒の筒状外装部材に設けた絞口径調整用孔と；筒状外装部材の外周に嵌合し、光軸を中心に該筒状外装部材を回動可能に支持する環状支持部材と；この環状支持部材に設けた、レンズ鏡筒の径方向に貫通する雌ネジ孔と；この雌ネジ孔に螺合する雄ネジ部を有し、この雄ネジ部の上記雌ネジ孔に対する所定の螺合位置によって、環状支持部材に対する筒状外装部材の相対回転を規制するロック部材と；を備え、絞口径調整用孔と雌ネジ孔は、筒状外装部材と環状支持部材の互いの相対回転位置を所定の回転位置としたとき、レンズ鏡筒の径方向で互いにオーバーラップすることを特徴としている。
【０００６】
【発明の実施の形態】
以下図示実施形態に基づいて本発明を説明する。図６は、本発明を適用した一眼レフカメラ用レンズ鏡筒１０を示している。このレンズ鏡筒１０は、単焦点の望遠レンズで、その後端部に設けた公知のバヨネットマウント環１２を介して一眼レフカメラのカメラボディ（図示せず）に装着される。
【０００７】
レンズ鏡筒１０の鏡筒ボディ１１には、回転操作することで該ボディ内のフォーカシングレンズ群（図示せず）を光軸Ｏ方向に移動させて焦点調整を行うフォーカス操作環１４と、鏡筒ボディ１１の後端部に固定された固定環１６と、鏡筒ボディ１１と固定環１６とに固定された飾り環（筒状外装部材）１８と、固定環１６の後端部に回動可能に設けた絞目盛環２２とが設けられている。
【０００８】
飾り環１８上には環状支持部材２０が光軸Ｏを中心に回動自在に嵌まっており、また飾り環１８の一部には焦点距離表示窓２４が設けられている。この焦点距離表示窓２４を介して、レンズ鏡筒１０内部に回動可能に備わったフォーカス環（図示せず）の外周面に印刷された焦点距離情報が観察される。
【０００９】
環状支持部材２０には、三脚座２０ａが一体に形成されている。レンズ鏡筒１０は、この三脚座２０ａを介して三脚（図示せず）に固定される。環状支持部材２０は飾り環１８上に回動自在に嵌合しているため、環状支持部材２０を介してレンズ鏡筒１０を三脚に固定した状態では、三脚上にて鏡筒ボディ１１を光軸Ｏを中心に回動させることができる。環状支持部材２０の外周には操作者は指等により操作されるロックネジ（ロック部材）２８が設けられており、このロックネジ２８を操作することで、鏡筒ボディ１１の環状支持部材２０に対する回動を規制することができる。以下、レンズ鏡筒１０に関してさらに詳しく述べる。
【００１０】
レンズ鏡筒１０内部には、飾り環１８と所定間隔をおいて光軸Ｏ方向に延びる内部固定環３０が設けられており、この内部固定環３０の直前には虹彩絞り４０が設けられている。この虹彩絞り４０は、互いに同一形状の複数のシャッター羽根４１を有し、各シャッター羽根４１は、該シャッター羽根４１前面から前方（図６の左方）に突出するピン４１ａを軸に回動可能となっている。各ピン４１ａは、中央に円形開口３２ａを有する支持環３２に穿設された対応の孔３２ｂに回動自在に嵌まっており、支持環３２は、内部固定環３０の前端に固定された絞取付環３１に、支持環押え板４２と止ネジ４３を介して固定されている。支持環押え板４２は、周方向の一部に切欠き（図示せず）を有するＣ形状のリング部材であり、組立時にその内径を若干縮めた状態で絞取付環３１内部に挿入されて該絞取付環３１内周に形成した内周環状溝３１ａに嵌め込まれる。
【００１１】
支持環３２の後方には、この支持環３２との間にシャッター羽根４１を挟んだ状態で環状の開閉板３３が設けられている。この開閉板３３は、支持環３２の円形開口３２ａと略同一径かつ同心の円形開口３３ａを中央に有している。また開閉板３３は、支持環３２に固定された開閉板押え板３４と支持環３２との間にその周縁部３３ｂが挟まれた状態で、支持環３２に対して光軸Ｏ周りに回動可能に支持されている。開閉板押え板３４は、支持環押え板４２と同様に周方向の一部に切欠き（図示せず）を有するＣ形状のリング部材であり、支持環３２に形成した内周環状溝３２ｃに嵌め込まれている。各シャッター羽根４１には、該シャッター羽根４１から後方に突出するカムピン４１ｂが形成されており、このカムピン４１ｂは、開閉板３３に形成された対応のカム溝３３ｃに嵌まっている。したがって、開閉板３３を光軸Ｏ周りに回動させると、この回動に伴って各シャッター羽根４１はピン４１ａを中心に回動し、よって複数のシャッター羽根４１により構成される絞開口３５の口径（絞口径）が大小に変化する。
【００１２】
開閉板３３には、その周縁部３３ｂ近傍に、後方に延びるストッパーピン３６が固定されている。飾り環１８と内部固定環３０との間の空間には、光軸Ｏと略平行に延びる絞連動アーム５０が設けられており、ストッパーピン３６は、この絞連動アーム５０の前端に形成された係合部５０ａと係合している。
【００１３】
絞連動アーム５０の後端部は、バヨネットマウント環１２と該バヨネットマウント環１２の内周に固定された保護環５６との間を通ってレンズ鏡筒１０後端から外部に露出され、被駆動レバー５０ｂとして構成されている。この被駆動レバー５０ｂは、レンズ鏡筒１０をカメラボディ（図示せず）に装着したとき、該カメラボディに設けられた公知の絞制御レバー（図示せず）と係合する。絞連動アーム５０は、被駆動レバー５０ｂと前端部の係合部５０ａとの間に固設した中空軸５１を軸に回動可能に設けられており、カメラボディの前記絞制御レバーが被駆動レバー５０ｂを駆動することで中空軸５１を軸に回動する。
【００１４】
また絞連動アーム５０は、中空軸５１の近傍に一体に形成したバネ係合部５０ｃと、固定環１６に植設したピン５２との間に掛けられたコイルバネ５３によって、中空軸５１を中心に図５の反時計回り方向に常時付勢されている。このコイルバネ５３の作用により、絞連動アーム５０は、その自由状態（被駆動レバー５０ｂがカメラボディの前記絞制御レバーと係合していない状態）において図５に実線で示す位置にあり、このときの絞開口３５の口径は最小となっている。絞連動アーム５０がこの図５に実線で示す位置から同図の時計回り方向に回転すると、係合部５０ａがストッパピン３６を同図の上方向に移動し、これにより絞開口３５の口径が拡大する。
【００１５】
絞連動アーム５０の後端部近傍には、止ネジ５４を介してバヨネットマウント環１２に固定されたストッパ部材５５が設けられている。連動アーム５０は、このストッパ部材５５により、図５に二点鎖線で示す位置から同図の時計回り方向への更なる回転が規制されている。
【００１６】
レンズ鏡筒１０は、絞連動アーム５０の回転軸である中空軸５１の軸位置を変化させることで絞口径調整を行う絞口径調整機構を備えている。この絞口径調整機構について以下に詳述する。
【００１７】
飾り環１８には、周方向に帯状に延びる帯状の環状案内溝１８ａが形成されており、この環状案内溝１８ａに環状支持部材２０が光軸Ｏを中心に回動可能かつ光軸Ｏ方向に移動不能に嵌められている。この環状案内溝１８ａの後端は固定環１６の前端部１６ａにより形成されている。
【００１８】
環状支持部材２０の一部には、レンズ鏡筒１０の径方向に貫通しかつその内面に雌ネジ２０ｃが形成された雌ネジ孔２０ｂが形成されている。この雌ネジ孔２０ｂには筒状のロックネジ座６０が、その下端部外周の雄ネジ６０ａを雌ネジ２０ｃに螺合させた状態で固定されている。
【００１９】
ロックネジ座６０は、軸方向（図１の上下方向）に貫通するロックネジ取付孔（雌ネジ孔）６０ｃを有している。このロックネジ取付孔６０ｃの内周には、軸方向で略中央部から一端部（図１での下端部）にかけて雌ネジ６０ｂが形成されており、この雌ネジ６０ｂには、ロックネジ２８の軸部２８ａの先端周面に形成した雄ネジ２８ｂが螺合されている。よってロックネジ２８を回動操作すると、ロックネジ２８はロックネジ座６０に対して軸方向に移動する。
【００２０】
また軸部２８ａには、雄ネジ２８ｂに隣接させて環状溝２８ｃが形成されており、ロックネジ座６０に螺合した抜け止めビス６２の先端部がこの環状溝２８ｃ内に位置されている。つまりロックネジ２８は、これら環状溝２８ｃと抜け止めビス６２によりロックネジ座６０からの抜け止めがなされ、かつロックネジ座６０に対する軸方向での移動範囲が定められている。
【００２１】
ロックネジ取付孔６０ｃ内には、軸部２８ａの先端と環状案内溝１８ｂの底面１８ｃの間に位置させてストッパ部材６１が設けられている。このストッパ部材６１は、環状案内溝１８ａの底面１８ｃに対向する弾接部６１ａと、この弾接部６１ａから突出する雄ネジ部６１ｂとからなっている。弾接部６１ａは、少なくとも環状案内溝１８ａに対向する部分が摩擦係数の比較的高いゴム材等から構成されている。弾接部６１ａの外径は、ロックネジ取付孔６０ｃの雌ネジ６０ｂの内径より若干小径に形成されている。雄ネジ部６１ｂは、軸部２８ａの先端部に軸方向に沿って形成された雌ネジ孔２８ｄに螺合されている。
【００２２】
したがって、ロックネジ２８を所定の一方向（ロック方向）に回転させると、雌ネジ６０ｂと雄ネジ２８ｂの関係により軸部２８ａがロックネジ座６０に対して図１の下方に移動するため、ストッパ部材６１の弾接部６１を環状案内溝１８ａの底面１８ｃに当接させて飾り環１８に対する環状支持部材２０の回動を規制することができる。この状態からロックネジ２８を他方向（ロック解除方向）に回転させると、軸部２８ａがロックネジ座６０に対して図１の上方に移動するため、ストッパ部材６１の弾接部６１を環状案内溝１８ａの底面１８ｃから離間させて飾り環１８に対する環状支持部材２０の回動を許容することができる。
【００２３】
環状支持部材２０の内周には、周方向に略等間隔に複数のクリック溝２０ｄが形成されている。環状案内溝１８ａの底面１８ｃの一部に形成した貫通孔１８ｄにはクリックボール６３が嵌まっており、このクリックボール６３は、飾り環１８の裏面に固定された板バネ６４によって孔１８ｄから環状支持部材２０の内周面に対して常時弾接されている。このクリックボール６３は、光軸Ｏ方向で複数のクリック溝２０ｄと同一位置に形成されており、よって環状支持部材２０に対して飾り環１８即ち鏡筒ボディ１１を回動させると、各クリック溝２０ｄに対応する回転位置に達したとき対応のクリック溝２０ｄに嵌入する。よって、環状支持部材２０に対して鏡筒ボディ１１を回動させると、複数のクリック溝２０ｄが形成された各回転位置で鏡筒ボディ１１がクリックストップする。本実施態様では、４つのクリック溝２０ｄが略等間隔に設けられているので、環状支持部材２０に対する鏡筒ボディ１１のクリックストップ位置は略９０度毎に設定されている。
【００２４】
固定環１６の前端部１６ａは、飾り環１８の後端内周に沿って前方に延び、飾り環１８の内周面に形成した内周フランジ１８ｅに当接している。この前端部１６ａの外周の一部には、調整板取付凹部１６ｂが形成されており、この調整板取付凹部１６ｂの底面に、略Ｔ字形に形成した調整板７０が二つの止ネジ７１、７２を介して固定されている。各止ネジ７１、７２と調整板７０の間には、ワッシャ７７が設けられている。調整板７０に形成した、止ネジ７１、７２を挿通させる孔７０ａ、７０ｂの各々は、周方向（図５の上下方向）での孔の長さが光軸Ｏ方向での孔の長さより所定量長く形成されている。よって、止ネジ７１、７２の両方を緩めると、調整板７０を、調整板取付凹部１６ｂの底面上で、周方向に沿って孔７０ａ、７０ｂの長さ範囲内で移動させることができる。
【００２５】
調整板７０の後端には、調整板取付凹部１６ｂの底面に設けられた貫通孔１６ｃを通ってレンズ鏡筒１０内方に延びる軸７３がネジ７４を介して固定されている。この軸７３は、上述した絞連動アーム５０に固設した中空軸５１内に摺動可能に嵌まり、軸７３の端部に螺合した抜け止めネジ７５により中空軸５１からの抜け止めが図られている。つまり絞連動アーム５０は、軸７３を軸に回動可能となっている。よって止ネジ７１、７２の両方を緩めて調整板７０を周方向に移動させると、軸７３の位置が周方向で変化し、同時にこの軸７３の位置変化に伴って、被駆動レバー５０ｂの所定位置に対する係合部５０ａの対応する位置が周方向で変化する。この変化を利用して絞口径調整が行われる。
【００２６】
飾り環１８には、環状案内溝１８ａの底面１８ｃの一部に、飾り環１８を貫通しかつ周方向に延びる調整用長孔（絞口径調整用孔）７６が形成されている。この調整用長孔７６は、止ネジ７１、７２の両方を環状案内溝１８ｂの底面１８ｃから環状支持部材２０に向けて露出させる位置に形成されている。また調整用長孔７６は、光軸Ｏ方向でロックネジ取付孔６０ｃと同一位置に形成されている。このため、鏡筒ボディ１１を環状支持部材２０に対して所定の回転位置に位置させたとき、ロックネジ座６０のロックネジ取付孔６０ｃと調整用長孔７６とがレンズ鏡筒１０の径方向でオーバーラップする。
【００２７】
このロックネジ取付孔６０ｃと調整用長孔７６とがオーバーラップする位置は、複数のクリック溝２０ｄによる各クリックストップ位置とは異なる場所に設定されている。別言すると、クリックボール６３がクリック溝２０ｄのいずれかに係入している状態、即ち鏡筒ボディ１１がいずれかのクリックストップ位置でクリックストップしている状態では、止ネジ７１、７２のいずれもロックネジ取付孔６０ｃからは現われない。この構成によれば、鏡筒ボディ１１がいずれかのクリックストップ位置でクリックストップしている状態では、ロックネジ２８を操作してストッパ部材６１の弾性部６１ａを、環状案内溝１８ａの底面１８ｃの調整用長孔７６が形成されていない部分に確実に当接させることができ、よって環状支持部材に対する鏡筒ボディ１１の回転規制を確実なものにすることができる。
【００２８】
また、たとえロックネジ取付孔６０ｃと調整用長孔７６とがオーバーラップしている場合でも、図１に示すように、ストッパ部材６１の弾性部６１ａの底面１８ｃに対向する面部分の大きさが、光軸Ｏ方向で調整用長孔７６の大きさよりも大きく構成されているため、弾性部６１ａと底面１８ｃとの接触面積が小さくなり互いの摩擦抵抗が小さくなるが、弾性部６１ａは底面１８ｃと確実に当接するため、ロックネジ２８を操作することで環状支持部材に対する鏡筒ボディ１１の回転規制を支障なく行うことができる。
【００２９】
ロックネジ取付孔６０ｃと調整用長孔７６とをオーバーラップさせた状態でロックネジ座６０からロックネジ２８を外して内部を覗くと、止ネジ７１、７２のいずれか一方を覗くことができる。このオーバーラップした状態の一例を図５に示している。この図５に示す状態では、ロックネジ取付孔６０ｃから一方の止ネジ７１が現われている。この状態で、止ネジ７１、７２を回す専用の治具８０をロックネジ取付孔６０ｃから挿入すれば、止ネジ７１を緩めたり締め付けたりすることができる。ロックネジ取付孔６０ｃと調整用長孔７６とをオーバーラップさせてロックネジ取付孔６０ｃに治具８０を挿入した状態を図２および図４に示している。
【００３０】
この図２および図４に示す状態から、鏡筒ボディ１１を環状支持部材２０に対して同図の時計回り方向に若干回転させると、ロックネジ取付孔６０ｃから一方の止ネジ７１に代って他方の止ネジ７２が現われる。止ネジ７１の場合と同様に、この状態で治具８０をロックネジ取付孔６０ｃから挿入すれば、止ネジ７２を緩めたり締め付けたりすることができる。したがって、治具８０をロックネジ取付孔６０ｃから挿入して両方の止ネジ７１、７２を緩めた後に調整板７０の位置を調整し、この調整後に治具８０で止ネジ７１、７２を締め直す作業により、調整板７０の位置即ち軸７３の位置を適正な位置に調整して固定することができる。レンズ鏡筒１０の絞口径調整機構は、ストッパピン３６、絞連動アーム５０、中空軸５１、ロックネジ取付孔６０ｃ、調整板７０、止ネジ７１、７２、軸７３、調整用長孔７６等から構成されている。
【００３１】
以上の構成を有する絞口径調整機構を有するレンズ鏡筒１０の絞口径調整は、例えば以下のように行われる。先ず、公知の絞口径調整装置（図示せず）の光源の光量が所定の基準絞口径に対応する光量になるように予め調整（ゼロ（±０Ｅｖ）調整）しておき、さらに、レンズ鏡筒１０の抜き止めビス６２を外してロックネジ座６０からロックネジ２８を取り外しておく。
【００３２】
その後、絞口径調整装置に被検レンズとしてのレンズ鏡筒１０を装着する。この装着後、絞口径調整装置により絞連動アーム５０の被駆動レバー５０ｂを、絞開口３５の口径が上記基準絞口径となるべき位置（基準ストローク位置）に移動する。この状態で、絞口径調整を行う（「±０Ｅｖ」にする）。この絞口径調整では、先ず、図５に示すように、一方の止ネジ７１、７２がロックネジ取付孔６０ｃから見える位置に鏡筒ボディ１１を環状支持部材２０に対して回転させ、そして図４に示すように治具８０をロックネジ取付孔６０ｃから挿入し一方の止ネジ７１、７２を緩め、続いて他方の止ネジ７１、７２がロックネジ取付孔６０から見える位置に鏡筒ボディ１１を環状支持部材２０に対して若干回転させ、他方の止ネジ７１、７２を治具８０を用いて同様に緩める。この後、調整板７０を孔７０ａ、７０ｂに沿って周方向に振り、絞開口３５の口径が上記基準ストローク位置に対応する絞口径となる位置に調整する。この調整の完了後、止ネジ７１、７２を緩めた場合の手順と同様に、止ネジ７１、７２を各々締め付ける。これにより絞口径作業が完了する。
【００３３】
上記実施態様のレンズ鏡筒１０は単焦点の望遠レンズであるが、本発明はこれに限定されず、例えば多焦点のズーム望遠レンズであってもよい。
【００３４】
上記実施形態のレンズ鏡筒１０では、４つのクリック溝２０ｄが略等間隔に設けられているが、本発明はこれに限定されず、３つ以下または５つ以上のクリック溝２０ｄを周方向に略等間隔で設ける構成としてもよい。また、クリックストップ機構を設けない構成でもよい。
【００３５】
【発明の効果】
以上のように、本発明の絞口径調整機構を有するレンズ鏡筒によれば、絞口径調整用孔と雌ネジ孔が、筒状外装部材と環状支持部材の互いの相対回転位置を所定の回転位置としたとき、レンズ鏡筒の径方向で互いにオーバーラップするので、絞口径調整用孔を樹脂製の栓部材やシール等の専用の閉鎖部材によって塞ぐ必要がなく、よって短時間で絞口径作業を行うことができる。
【図面の簡単な説明】
【図１】本発明を適用したレンズ鏡筒の光軸から上半分を示す断面図である。
【図２】同レンズ鏡筒の絞口径調整作業時を示す断面図である。
【図３】同レンズ鏡筒の断面図である。
【図４】同レンズ鏡筒の絞口径調整作業時を示す断面図である。
【図５】同レンズ鏡筒の要部を図２の矢印Ａ方向から視た図である。
【図６】同レンズ鏡筒の斜視外観図である。
【符号の説明】
１０  レンズ鏡筒
１１  鏡筒ボディ
１２  レンズマウント環
１６  固定環
１８  飾り環（筒状外装部材）
２０  環状支持部材
２０ａ  三脚座
２８  ロックネジ（ロック部材）
２８ｂ  雄ねじ（雄ねじ部）
３０  内部固定環
４０  虹彩絞り
５０  絞連動アーム
６０  ロックネジ座
６０ａ  雄ネジ
６０ｂ  雌ネジ
６０ｃ  ロックネジ取付孔（雌ネジ孔）
６１  ストッパ部材
O   光軸
【図１】
0003713101.tif 000002
【図２】
0003713101.tif 000003
【図３】
0003713101.tif 000004
【図４】
0003713101.tif 000005
【図５】
0003713101.tif 000006
【図６】
0003713101.tif 000007